(57)【要約】      （修正有）【課題】  インターネットによりアクセスしたときＷＥＢサイトにおいて、より詳細な株情報を容易に検索・表示できる株情報提供システムを提供する。【解決手段】  インターネットにおける株主，投資家等への株情報提供システムであって、インターネット端末またはｉ−モードを備えた携帯電話によりアクセスされたＷＥＢサイトにおいて本社所在地，株価の過去の高値／安値等と併せて売上高のトレンド，営業利益のトレンド，経常利益のトレンド，株価のトレンドを表示するようにし、株主資本，株主資本比率，利益余剰金，有利子負債，ＲＯＥ，ＲＯＡ，フリーＣＦ，役員，関連会社の情報のうち少なくともいずれかを含む情報を検索、詳細内容を表示可能としたことを特徴とする。【選択図】図１
2005338911.tif 000002
【特許請求の範囲】
【請求項１】
インターネットにおける株主，投資家等への株情報提供システムであって、
インターネット端末またはｉ−モードを備えた携帯電話によりアクセスされたＷＥＢサイトにおいて、
本社所在地，株価の過去の高値／安値等と併せて売上高のトレンド，営業利益のトレンド，経常利益のトレンド，株価のトレンド等の情報を表示するとともに、
株主資本，株主資本比率，利益余剰金，有利子負債，ＲＯＥ，ＲＯＡ，フリーＣＦ，役員，関連会社の情報のうち少なくともいずれかを含む情報の検索、詳細内容を表示可能としたことを特徴とする株情報提供システム。
【請求項２】
インターネットにおける株主，投資家等への株情報提供システムの制御方法であって、
インターネット端末またはｉ−モードを備えた携帯電話によりアクセスされたＷＥＢサイトにおいて、アクセス入力に基づいて、本社所在地，株価の過去の高値／安値等と併せて売上高のトレンド，営業利益のトレンド，経常利益のトレンド，株価のトレンド等の情報を表示するステップと、
株主資本，株主資本比率，利益余剰金，有利子負債，ＲＯＥ，ＲＯＡ，フリーＣＦ，役員，関連会社の情報のうち少なくともいずれかを含む情報の選択指示入力に基づいて詳細内容を表示可能とするステップとからなることを特徴とする株情報提供システムの制御方法。
【請求項３】
インターネットにおける株主，投資家等への株情報提供システムの制御方法のプログラムコードが記憶されたコンピュータ可読記憶媒体であって、
インターネット端末またはｉ−モードを備えた携帯電話によりアクセスされたＷＥＢサイトにおいて、アクセス入力に基づいて、本社所在地，株価の過去の高値／安値等と併せて売上高のトレンド，営業利益のトレンド，経常利益のトレンド，株価のトレンド等の情報を表示するステップのプログラムコードと、
株主資本，株主資本比率，利益余剰金，有利子負債，ＲＯＥ，ＲＯＡ，フリーＣＦ，役員，関連会社の情報のうち少なくともいずれかを含む情報の選択指示入力に基づいて詳細内容を表示可能とするステップのプログラムコードとからなることを特徴とする株情報提供システムの制御方法プログラムコードが記憶されたコンピュータ可読記憶媒体。
【発明の詳細な説明】
【技術分野】
【０００１】
本発明は、インターネットによる株情報提供システムに関する。特に、個人投資家向株情報提供システムに関する。
【背景技術】
【０００２】
近年のインターネットの普及には目覚ましいものがあり、インターネットに収容される情報についても多種多様に増加の一途にある。そのため、インターネットに接続できるような、例えば、パーソナルコンピュータのような情報端末の使用者は、その情報端末にソフトウエアとして格納される情報検索機能により、任意の情報を検索して入手することができる。従って、インターネットは、情報端末の使用者に多大な便宜を供与しているといえる。株情報，投資情報サーバーにアクセスしてインターネットで株の売買を行うシステムが提案されている(特許文献１)。
【特許文献１】特開２００２−２３０２９９号公報
【０００３】
しかしながら、株の情報に関しては、定期的に刊行される情報誌や株主に送付される事業報告者等に限られ、いつでも、どこでもその情報を得ることは非常に困難を伴うものであった。
【発明の開示】
【発明が解決しようとする課題】
【０００４】
本発明は、上記課題に鑑みてなされたものであり、インターネットによりアクセスしたとＷＥＢサイトにおいて、より詳細な株情報を容易に検索・表示できる株情報提供システムを提供することを目的とする。さらに詳細には、個人投資家がＷＥＢサイトＩ６において、より詳細な株情報を容易に検索・表示できる株情報提供システムを提供することを目的とする。
【課題を解決するための手段】
【０００５】
上記目的を達成するために、本発明の株情報提供システムは、インターネットにおける株主，投資家等への株情報提供システムであって、インターネット端末またはｉ−モードを備えた携帯電話によりアクセスされたＷＥＢサイトにおいて本社所在地，株価の過去の高値／安値等と併せて売上高のトレンド，営業利益のトレンド，経常利益のトレンド，株価のトレンドを表示するようにし、株主資本，株主資本比率，利益余剰金，有利子負債，ＲＯＥ，ＲＯＡ，フリーＣＦ，役員，関連会社の情報のうち少なくともいずれかを含む情報を検索、詳細内容を表示可能としたことを特徴とする。また、インターネットにおける株主，投資家等への株情報提供システムの制御方法であって、インターネット端末またはｉ−モードを備えた携帯電話によりアクセスされたＷＥＢサイトにおいて、アクセス入力に基づいて、本社所在地，株価の過去の高値／安値等と併せて売上高のトレンド，営業利益のトレンド，経常利益のトレンド，株価のトレンド等の情報を表示するステップと、株主資本，株主資本比率，利益余剰金，有利子負債，ＲＯＥ，ＲＯＡ，フリーＣＦ，役員，関連会社の情報のうち少なくともいずれかを含む情報の選択指示入力に基づいて詳細内容を表示可能とするステップとからなることを特徴とする。また、インターネットにおける株主，投資家等への株情報提供システムの制御方法のプログラムコードが記憶されたコンピュータ可読記憶媒体であって、インターネット端末またはｉ−モードを備えた携帯電話によりアクセスされたＷＥＢサイトにおいて、アクセス入力に基づいて、本社所在地，株価の過去の高値／安値等と併せて売上高のトレンド，営業利益のトレンド，経常利益のトレンド，株価のトレンド等の情報を表示するステップのプログラムコードと、株主資本，株主資本比率，利益余剰金，有利子負債，ＲＯＥ，ＲＯＡ，フリーＣＦ，役員，関連会社の情報のうち少なくともいずれかを含む情報の選択指示入力に基づいて詳細内容を表示可能とするステップのプログラムコードとからなることを特徴とする。
【発明の効果】
【０００６】
本発明の株情報提供システムは、インターネット端末またはｉ−モードを備えた携帯電話によりアクセスされたＷＥＢサイトにおいて本社所在地，株価の過去の高値／安値等と併せて売上高のトレンド，営業利益のトレンド，経常利益のトレンド，株価のトレンドを表示するようにし、株主資本，株主資本比率，利益余剰金，有利子負債，ＲＯＥ(株主資本利益率)，ＲＯＡ(総資産利益率)，フリーＣＦ(キヤッシュフロー)，役員，関連会社の情報のうち少なくともいずれかを含む情報を検索、詳細内容を表示可能としたことを特徴とする株主，投資家等への株情報提供システムであるので、インターネットによりアクセスしたとＷＥＢサイトにおいて、より詳細な株情報を容易に検索・表示できるので、株売買、投資を検討するに際して、特に、個人投資家にとってよりよい判断材料が極めて容易に詳細に得られる。
【発明を実施するための最良の形態】
【０００７】
以下、図面に基づき詳述する。図１は、本発明の株情報提供システムの全体の概要を示すものである。１は、ｉ−モード機能を有する携帯電話などの個人投資家等の携帯端末、２，３は、個人投資家等のパーソナルコンピュータなどの端末、４は、株情報を提供するＷＥＢサーバ、５は、インターネットなどの情報通信ネットワークである。図６は、株情報提供システムのフローチャートである。
【０００８】
１０，２０，３０，４０は制御部(ＣＰＵ)で個々のシステムの制御を行うプログム，ＲＡＭ，ＲＯＭ等を含んでいる。また、１１，２１，３１は外部通信部、１２，２２，３２，４２は表示部、１３，２３，３３，４３は入力部、１４，２４，３４，４４は記憶部、４５は、種々の株情報を記憶し、適宜疎の記憶情報を更新できるサーバである。
【０００９】
サーバー４５においては、会社の本社所在地、設立年月、決算時期、業種、上場年月、幹事証券会社、名義変更取扱銀行、取引銀行、監査法人、株価の最高値(過去／直近)、株価の最安値(過去／直近)、直近の業績(売上高，営業利益，経常利益)、株価の過去    年間のトレンドグラフ、業績の過去    年間のトレンドグラ、株式数、連結指標、株主、役員、連結(関連)子会社等が適宜更新され、携帯端末１，端末２，３から外部通信部１１，２１，３１、情報通信ネットワーク５、外部通信部４１を介してアクセスし、一瞥可能に表示するようになっている。図２は、携帯端末１の表示部１２、端末２，３の表示部２２，３２に表示可能な画面の一例である。
【００１０】
まず、携帯端末１や端末２，３を情報通信ネットワークに接続させ、入力部１３，２３，３３でアドレスを入力するかＷＥＢの検索を行い、株情報ＷＥＢサイトにアクセスする(ステップＳ１)と、図２に示すような株情報の全体、本社所在地、設立年月、決算時期、業種、上場年月、幹事証券会社、名義変更取扱銀行、取引銀行、監査法人、株価の最高値(過去／直近)、株価の最安値(過去／直近)、直近の業績(売上高，営業利益，経常利益)、株価の過去    年間のトレンドグラフ、業績の過去    年間のトレンドグラ、株式数、連結指標、株主、役員、連結(関連)子会社等が表示部１２，２２，３２に表示されるステップＳ２)。この時、株価のトレンドグラフ(過去    年間)、売上高，営業利益，経常利益のトレンドグラフ(過去    年間)も併せて表示される。
【００１１】
さらに、詳細な情報、(1)当期の好調な商品群、(2)役員(会長,社長，取締役)の経歴、(3)連結会社の一覧を選択して表示させることも可能である。
【００１２】
当期の好調な商品群にカーソルを合わせクリックすると好調な商品が表示部１２,２２,３３に一覧表示される。また、選択表示として、役員のうち社長にカーソルを合わせ、クリック(選択指示入力)する(ステップＳ３)と、図３に示すように社長のプロフィル(写真、時系列の経歴等)が表示部１２,２２,３３に表示される(ステップＳ４)。また、連結会社(連結子会社)にカーソルを合わせ、クリック(選択指示入力)する(ステップＳ３)と図５に示すように、連結子会社を含め、持分法適用関連会社，持分法適用非連結関連会社の識別が一瞥可能に表示部１２,２２,３３に表示される(ステップＳ４)。
【００１３】
また、株式関連用語である、株主資本，株主資本比率，利益剰余金，有利子負債，ＲＯＥ，ＲＯＥ，フリーＣＦといった用語についてもその説明が表示できるようになっている。すなわち、図２の画面で、知りたい用語、例えば、株主資本にカーソルを合わせてクリック(選択指示入力)する(ステップＳ３)と、図４に示すように用語の説明が表示部１２,２２,３３に表示される(ステップＳ４)。
【図面の簡単な説明】
【００１４】
【図１】本発明のシステム全体を示すブロック図である。
【図２】本発明のシステムにおける表示画面の一例を示す図である。
【図３】本発明のシステムにおける表示画面の一例を示す図である。
【図４】本発明のシステムにおける表示画面の一例を示す図である。
【図５】本発明のシステムにおける表示画面の一例を示す図である。
【図６】本発明のシステムにおけるフローチャートの一例を示す図である。
【符号の説明】
【００１５】
１  携帯端末、２，３  端末、４  ＷＥＢサーバ、５  情報通信ネットワーク、１０，２０，３０，４０  制御部(ＣＰＵ)、１１，２１，３１  外部通信部、１２，２２，３２，４２  表示部、１３，２３，３３，４３  入力部、１４，２４，３４，４４  記憶部、４５サーバ
【図１】
2005338911.tif 000003
【図２】
2005338911.tif 000004
【図３】
2005338911.tif 000005
【図４】
2005338911.tif 000006
【図５】
2005338911.tif 000007
【図６】
2005338911.tif 000008
【手続補正書】
【提出日】平成16年5月24日(2004.5.24)
【手続補正１】
【補正対象書類名】明細書
【補正対象項目名】０００９
【補正方法】変更
【補正の内容】
【０００９】
サーバー４５においては、会社の本社所在地、設立年月、決算時期、業種、上場年月、幹事証券会社、名義変更取扱銀行、取引銀行、監査法人、株価の最高値(過去／直近)、株価の最安値(過去／直近)、直近の業績(売上高，営業利益，経常利益)、株価の過去の所定期間、例えば、１年間、またはそれ以上、例えば１０年間程度のトレンドグラフ、業績の過去の所定年間、例えば、１年間、またはそれ以上、例えば、７年間のトレンドグラフ、株式数、連結指標、株主、役員、連結(関連)子会社等が適宜更新され、携帯端末１，端末２，３から外部通信部１１，２１，３１、情報通信ネットワーク５、外部通信部４１を介してアクセスし、一瞥可能に表示するようになっている。図２は、携帯端末１の表示部１２、端末２，３の表示部２２，３２に表示可能な画面の一例である。
【手続補正２】
【補正対象書類名】明細書
【補正対象項目名】００１０
【補正方法】変更
【補正の内容】
【００１０】
まず、携帯端末１や端末２，３を情報通信ネットワークに接続させ、入力部１３，２３，３３でアドレスを入力するかＷＥＢの検索を行い、株情報ＷＥＢサイトにアクセスする(ステップＳ１)と、図２に示すような株情報の全体、本社所在地、設立年月、決算時期、業種、上場年月、幹事証券会社、名義変更取扱銀行、取引銀行、監査法人、株価の最高値(過去／直近)、株価の最安値(過去／直近)、直近の業績(売上高，営業利益，経常利益)、株価の過去の所定期間(例えば１年間、またはそれ以上、例えば１０年間程度)のトレンドグラフ、業績(売上高，営業利益，経常利益)の過去の所定期間(例えば１年間、またはそれ以上、例えば、７年間)のトレンドグラフ、株式数、連結指標、株主、役員、連結(関連)子会社等が表示部１２，２２，３２に表示されるステップＳ２)。この時、株価のトレンドグラフ(過去所定期間、例えば１年間、またはそれ以上の期間)、売上高，営業利益，経常利益のトレンドグラフ(過去の所定期間、例えば７年間)も併せて表示される。